(57)【要約】【課題】    従来技術のゴルフティーに存在する問題点の全てを解決できるゴルフティーを提供することにある。【解決手段】  ゴルフティーを地面に固定する固定部２と、該固定部２の上部に取り付けられてゴルフボールＢを載置するゴルフボール載置部３とを備えたゴルフティー１であって、  前記ゴルフボール載置部３は、下から上方向に向けて凸状に伸びるアーチ型の支柱６が複数本並置され、且つ、該複数本の支柱６の上端部同士が補強部７で連結された構造であって、  前記ゴルフボール載置部３は横方向から作用する力により屈曲し、且つ復元が自在な柔軟性を有する素材により形成されてなることを特徴とするものである。支柱は、３〜５本設けられていることが好ましい。【選択図】図１
2010005070.tif 000002
【特許請求の範囲】
【請求項１】
ゴルフティーを地面に固定する固定部と、該固定部の上部に取り付けられてゴルフボールを載置するゴルフボール載置部とを備えたゴルフティーであって、
前記ゴルフボール載置部は、下から上方向に向けて凸状に伸びるアーチ型の支柱が複数本並置され、且つ、該複数本の支柱の上端部同士が補強部で連結された構造であって、
前記ゴルフボール載置部は横方向から作用する力により屈曲し、且つ復元が自在な柔軟性を有する素材により形成されてなることを特徴とするゴルフティー。
【請求項２】
前記支柱は、３〜５本設けられていることを特徴とする請求項１に記載のゴルフティー。
【請求項３】
隣り合う支柱の側縁同士は、その高さ方向の中央を上側に越えた位置から下端までの範囲において接合されていることを特徴とする請求項１又は請求項２に記載のゴルフティー。
【請求項４】
前記固定部は、板体又は脚体であることを特徴とする請求項１から請求項３のいずれか１項に記載のゴルフティー。
【請求項５】
前記支柱の上端部同士を連結する補強部は、上方から観て円形に設けられていることを特徴とする請求項１から請求項４項のいずれか１項に記載のゴルフティー。
【発明の詳細な説明】
【技術分野】
【０００１】
本発明はゴルフティーに関し、特に、ゴルフボールを安定して支持できると共に、ゴルフクラブを振り抜く際の抵抗を少なくした上に、耐久性、及び復元性を向上させたゴルフティーに関するものである。
【背景技術】
【０００２】
従来、ゴルフティーは、木製のものや、硬質樹脂製のものが一般的であった。しかし、この種のゴルフティーには以下の問題点があった。
１．クラブヘッドでゴルフボールを打撃する際にクラブヘッドがゴルフティーに当たっても変形しにくいために、ゴルフクラブをスイングする際の抵抗になり、ゴルフボールの飛距離が落ちる。
２．クラブヘッドでゴルフボールを打撃する際にクラブヘッドがゴルフティーに当たっても変形しにくいために、衝撃によってゴルフティーが割れる等して破損し易く、耐久性が劣る。
３．クラブヘッドでゴルフボールを打撃する際にクラブヘッドがゴルフティーに当たっても変形しにくいために当該打撃を吸収することができずに、ゴルフティーが飛ばされ、紛失し易い。
【０００３】
そこで、特許文献１に記載されたブラシ材で形成されたブラシ型のものや、ゴム系素材で形成されたチューブ型のもの、及び支柱型のものが開発された。
【０００４】
【特許文献１】特開２００６−３４０９０５号公報
【発明の開示】
【発明が解決しようとする課題】
【０００５】
前記ブラシ型をしたゴルフティーは、ブラシ部分の先端でゴルフボールを支える構造のために、クラブヘッドでゴルフボールを打撃する際の抵抗が少ないという特徴がある。このために、この種のゴルフティーはクラブヘッドでゴルフボールを打撃する際の衝撃を受けにくいために、遠くへ飛ばされて紛失する虞が少なく、又、抵抗感無くクラブヘッドを振り抜くことができてゴルフボールの飛距離が長くなり、更に、構造上、割れる等の損傷する虞が少ないという利点を有する。しかしながら、ゴルフのプレーにおいて１ホールから１８ホールまで使用することで、ブラシ部分が撓む等した癖が付いたり、又は、ゴルフボールを支えるブラシ部分がクラブヘッドで強打されることでブラシ部分が一定方向に撓んだままになって復元性が悪い結果、ゴルフボールを安定感良く支持できなくなり易いという欠点があった。
【０００６】
つまり、ブラシ型をしたゴルフティーは、前記問題点１、２、３を解決できるが、
「４．復元性が悪い。」という新たな問題点があった。
【０００７】
前記チューブ型のゴルフティーは、耐久性を向上させるために肉厚を厚くした結果、クラブヘッドでゴルフボールを打撃する際の抵抗が大きく、ゴルフボールの飛距離が落ちる上に、当該抵抗によってゴルフティーが遠くまで飛んで紛失し易いという問題があった。
【０００８】
つまり、チューブ型のゴルフティーは前記問題点２は解決できるが、１、３を解決することができないという問題点があった。
【０００９】
前記支柱型のものは、図９、図１０に示す。図９は支柱型のゴルフティーが直立した状態を示し、図１０はゴルフボールを打撃した際に撓んだ状態を示す。
【００１０】
当該支柱型のものは、ゴルフボールを安定して支持でき、且つ耐久性、及び復元性を向上させるために、支柱１００の柱１０１が太く形成されている。しかし、このように、支柱１００の柱１０１が太く形成されているために、クラブヘッドでゴルフボールを打撃する際の衝撃によって変形しにくいという特徴がある。このために、クラブヘッドでゴルフボールを打撃する際の抵抗を大きく低下させることができない上に、当該衝撃によってゴルフティーが遠くまで飛んで紛失し易いという問題があった。更に、ゴルフクラブによって側方からの打撃力が加わると、図１０に示すように、支柱１００が歪んだ形に変形するため、ゴルフボールの弾道を微妙に狂わせてゴルフボールに予期しない方向性を与える虞もあった。
【００１１】
つまり、支柱型のゴルフティーは前記問題点の２、４を解決できるが、１、３を大幅に解決することができない上に、次のような新たな問題点があった。
５．クラブヘッドでゴルフボールを打撃する際に支柱１０１が歪んだ形に変形するため、ゴルフボールに予期しない方向性を与える虞がある。
【００１２】
以上説明した従来のゴルフティーの問題点を要約すると、以下の五つがあり、五つの問題点の全てを解決するゴルフティーが望まれていた。
１．クラブヘッドでゴルフボールを打撃する際にクラブヘッドがゴルフティーに当たっても変形しにくいために、ゴルフクラブをスイングする際の抵抗が大きく、ゴルフボールの飛距離が短いという問題点。
２．クラブヘッドでゴルフボールを打撃する際にクラブヘッドがゴルフティーに当たっても変形しにくいために、当該衝撃によってゴルフティーが割れる等して破損し易く、耐久性が悪いという問題点。
３．クラブヘッドでゴルフボールを打撃する際にクラブヘッドがゴルフティーに当たっても変形しにくいために当該打撃を吸収することができずに、ゴルフティーが飛んで、紛失し易いという問題点。
４．復元性が悪いという問題点。
５．クラブヘッドでゴルフボールを打撃する際にゴルフティーが歪んだ形に変形するため、ゴルフボールに予期しない方向性を与える虞があるという問題点。
【００１３】
本発明は前記従来技術の問題点に鑑みてなされたもので、その目的は、従来技術に存在する上記の五つの問題点の全てを解決できるゴルフティーを提供することにある。
【課題を解決するための手段】
【００１４】
請求項１に記載の発明は、ゴルフティーを地面に固定する固定部と、該固定部の上部に取り付けられてゴルフボールを載置するゴルフボール載置部とを備えたゴルフティーであって、
前記ゴルフボール載置部は、下から上方向に向けて凸状に伸びるアーチ型の支柱が複数本並置され、且つ、該複数本の支柱の上端部同士が補強部で連結された構造であって、
前記ゴルフボール載置部は横方向から作用する力により屈曲し、且つ復元が自在な柔軟性を有する素材により形成されてなることを特徴とするゴルフティーである。
【００１５】
請求項２に記載の発明は、請求項１に記載のゴルフティーにおいて、支柱は、３〜５本設けられていることを特徴とするものである。
【００１６】
請求項３に記載の発明は、請求項１又は請求項２に記載のゴルフティーにおいて、隣り合う支柱の側縁同士は、その高さ方向の中央を上側に越えた位置から下端までの範囲において接合されていることを特徴とするものである。
【００１７】
請求項４に記載の発明は、請求項１から請求項３のいずれか１項に記載のゴルフティーにおいて、固定部は、板体又は脚体であることを特徴とするものである。
【００１８】
請求項５に記載の発明は、請求項１から請求項４のいずれか１項に記載のゴルフティーにおいて、支柱の上端部同士を連結する補強部は、上方から観て円形に設けられていることを特徴とするものである。
【発明の効果】
【００１９】
請求項１に記載の発明によれば、支柱がアーチ型に形成され、且つ支柱の先端部が補強部によって接合されて、トラス部によって、ゴルフボールを支持することになるために、支柱の太さを細くしても、ゴルフボールにより上方から加えられる荷重に対しては支柱の強度を確保することができる。このため、ゴルフボールを打撃する際において、ゴルフティーは容易に撓むように変形することができて、クラブヘッドでゴルフボールを打撃する際の抵抗を少なくすることができるために、ゴルフボールの飛距離を長くでき、耐久性及び復元性を向上させ、更には、歪んだ形に撓まないことによって、ゴルフボールの飛方向に予期しない方向性を付与することがなく、ゴルフボールの飛方向に安定した方向性を確保することができる。
【００２０】
請求項２に記載の発明によれば、ゴルフティーの支柱が３〜５本であるために、ゴルフティーは、クラブヘッドでゴルフボールを打撃する際の抵抗になりにくく、又、ゴルフティーの耐久性が悪化しない。即ち、例えば、支柱が２本以下の場合には、ゴルフボールを安定的に支持するために、支柱の太さを太くしなければならないが、太くした場合には、クラブヘッドでゴルフボールを打撃する際の衝撃を受けても撓む等の変形をし難くなってクラブヘッドでゴルフボールを打撃する際の抵抗が大きくなるという問題がある。
【００２１】
又、例えば、支柱が６本以上の場合には、トラスの個数が増加してトラスの空隙が小さくなるために、クラブヘッドでゴルフボールを打撃する際の抵抗が大きくなり、従来のチューブ型のゴルフティーとの差異が小さくなるという問題がある。又、支柱が６本以上の場合において、仮に、トラスの空隙を小さくしないとすると抵抗は大きくならないが、支柱が細くなって支柱の耐久性が悪化するという問題がある。つまり、支柱の本数が６本以上の場合には、抵抗を小さくすることと、耐久性を向上させることとは相反することである。しかし、請求項２に記載の発明のように、ゴルフティーの支柱を３〜５本にすることによって、ゴルフティーは、クラブヘッドでゴルフボールを打撃する際の抵抗を小さくでき、且つ、耐久性を悪化させることがない。
【００２２】
請求項３に記載の発明によれば、支柱の下部側が、隣り合う支柱の下部側と接合することで太くなって強固になっているために、該支柱に載置されているゴルフボールをクラブヘッドで打撃する際の打撃力によってゴルフティーが損傷する虞が少ない。
【００２３】
請求項４に記載の発明によれば、固定部が板体又は脚体で形成されたゴルフティーに本発明を適用することができる。
【００２４】
請求項５に記載の発明によれば、支柱の上端部同士を連結する補強部は、上方から観て円形に設けられているために、クラブヘッドでゴルフボールを打撃する際に、クラブヘッドのフェース面は、補強部の径方向と直交する角度で該補強部の外周に当接することによって該補強部の中心を通る方向の打撃力をゴルフボール及びゴルフティーに加えることになるために、ゴルフティーが予期しない方向へ撓む虞が少なく、従って、ゴルフボールが予期しない方向へ飛ぶ虞が少ない。
【発明を実施するための最良の形態】
【００２５】
図１乃至図７は第１実施形態を示す。図１はゴルフティーの斜視図を示し、図２はゴルフティーの正面図を示し、図３は図２を矢示Ｑ方向から観た側面図を示し、図４は図２の上面図を示す。図５は図３のＡ―Ａ断面図を示し、図６は図３のＢ―Ｂ断面図を示す。
【００２６】
図１から図３に示すように、ゴルフティー１は、固定部２と、該固定部２の上部に設けられてゴルフボールＢを載置するゴルフボール載置部３とを備え、該固定部２とゴルフボール載置部３とは連結部４によって連結された構成である。
【００２７】
前記ゴルフボール載置部３は筒状の基部５と、該基部５の軸心Ｌを囲むように設けられた複数の支柱６と、補強部７とから構成されている。
【００２８】
前記各支柱６は、二つの支柱片６Ａ、６Ｂで構成され、各支柱片６Ａ、６Ｂの下端部は前記基部５の外側面に接合され、その上端部同士は一体に接合されることで、下側から上方向へ向けて凸状に伸びるアーチ型に湾曲した形態に形成されている。
【００２９】
又、隣接する支柱６の上端部同士は、前記補強部７によって接合されている。各支柱６の二つの支柱片６Ａ、６Ｂと基部５とによって第一トラス部８が構成される。該第一トラス部８は、二つの隅部９，９と一つの頂部１０とを有し、頂部１０を上側にして設けられている。該隅部９は支柱片６Ａ、６Ｂと基部５とが接合する部位であり、頂部１０は、二つの支柱片６Ａ、６Ｂの上端部同士が接合する部位である。
【００３０】
隣接する支柱６の先端が補強部７によって接合されてもよいが、図１、図２に示すように、上端より僅か下部を補強部７で接合することで、支柱６の先端が補強部７より上方へ突出するように形成することも可能である。
【００３１】
図１から図３に示すように、支柱６の上端が補強部７より上方へ突出するように形成した場合には、支柱６の上端によって球座が構成され、当該球座によってゴルフボールＢが支持される。又、支柱６の上端が補強部７より上方へ突出しない場合には、補強部７によって球座が構成される。図１から図３に示すように、支柱６の上端によって球座が構成される場合には、該支柱６の上端の内側面を下側から上側へ向けて斜め外側へ傾斜するように拡開するテーパ面１１とすることで、該テーパ面１１でゴルフボールＢを載置し易くすることが可能である。
【００３２】
このように、各支柱６の下部は基部５に接合され、且つ、その上部は隣り合う支柱６の上部が補強部７によって連設された形態であるために、支柱６同士は互いに分離しない構成になっている。
【００３３】
図２に示すように、前記各支柱６は、下側から上方へ至るにつれて徐々に外方へ反る形態に形成されることができる。このように、各支柱６が外方へ反るように形成されていることで、支柱６同士の先端が互いに離れることになって、前記球座の面積が広がるために、ゴルフボールＢを安定的に支持することができる。
【００３４】
図４に示すように、前記支柱６は、基部５の軸心Ｌを囲むように等間隔に４本設けられている。又、支柱６の上端部同士を連結する前記補強部７は、上方から観て円形に設けられている。例えば、支柱が２本以下の場合には、ゴルフボールを安定的に支持するために、支柱の太さを太くしなければならないが、太くした場合には、クラブヘッドでゴルフボールを打撃する際の衝撃を受けても撓む等の変形をし難くなってクラブヘッドでゴルフボールを打撃する際の抵抗が大きくなるという問題がある。又、例えば、支柱が６本以上の場合には、トラスの個数が増加してトラスの空隙が小さくなるために、クラブヘッドでゴルフボールを打撃する際の抵抗が大きくなるという問題がある。又、支柱が６本以上の場合において、仮に、トラスの空隙を小さくしないとすると抵抗は大きくならないが、支柱が細くなって支柱の耐久性が悪化するという問題がある。つまり、支柱の本数が６本以上の場合には、抵抗を小さくすることと、耐久性を向上させることとは相反することである。しかし、ゴルフティー１の支柱を３〜５本にすることによって、ゴルフティー１は、クラブヘッドでゴルフボールを打撃する際の抵抗を小さくでき、且つ、耐久性が悪化しない。
【００３５】
図３に示すように、支柱６の互いに隣り合う支柱片６Ａ、６Ｂ同士の高さ方向の中央を上方へ越える位置から下端に至る範囲に亘って互いに接合されて接合部６Ｃになっていることで、隣り合う二つの支柱６、６を側方から観た場合、下部側が太く、上方へ向けて広がるように二股状になっている。隣り合う支柱６の隣り合う二つの支柱片６Ａ、６Ｂと補強部７とによって第二トラス部１２が構成される。該第二トラス部１２は二つの隅部１３，１３と一つの頂部１４とを有し、該頂部１４を下位にして設けられている。隅部１３は、支柱片６Ａ、６Ｂと補強部７とが接合した部位であり、頂部１４は、支柱６の接合部６Ｃの上端部が該当する。
【００３６】
ゴルフボール載置部３は、前述のように形成されることで、周方向へ向けて前記第一トラス部８と第二トラス部１２とが交互に組み合わされた構造になっている。このように、ゴルフボール載置部３は、周方向へ向けて第一トラス部８と第二トラス部１２とが交互に組み合わされた構造になっているために、各支柱片６Ａ、６Ｂや補強部７を細く形成してもゴルフボールＢの上方からの荷重を安定して支持することができる。
【００３７】
前記支柱６は、柔軟性を有する素材により形成される。ここで言う柔軟性を有する素材とは、横方向から作用する力により屈曲し復元が自在な素材であれば特に限定されないが、熱可塑性エラストマー又はゴムを例示できる。より具体的には、スチレン系エラストマー、ウレタン系エラストマー、オレフィン系エラストマー、塩ビ系エラストマー、ポリエステル系エラストマー、ポリアミド系エラストマー、天然ゴム、ウレタンゴム、エチレン・プロピレンゴム、クロロプレンゴム、シリコンゴム、スチレン・ブタジエンゴム、ニトリルゴム、クロロスルホン化ポリエチレン、ブチルゴム、フッ素ゴムを例示できる。
【００３８】
前記固定部２は、該ゴルフティー１を地面に固定できる機能を有するものであって、例えば、下方へ向けて先細状の脚体で構成されて地面に差し込まれる形態にすることができる。
【００３９】
前記連結部４は、前記固定部２の上部に設けられた取付台座１５と、該取付台座１５の中央から上方へ向けて突出した取付突起１６とを備え、前記ゴルフボール載置部３の基部５に該取付突起１６を嵌合して、いわゆる、はめ殺しによって、ゴルフボール載置部３と固定部２とを連結できる構造にすることができる。
【００４０】
次に、作用について説明する。図２に示すように、球座にゴルフボールＢを載置する。ゴルフボール載置部３は、図２に示すように第一トラス部８、及び図３に示すように第二トラス部１２を備えた構成であるために、ゴルフボールＢの荷重は、複数の支柱６の複数の支柱片６Ａ、６Ｂや補強部７に均等に分散して伝わる。ゴルフボール載置部３は、周方向へ向けて第一トラス部８と第二トラス部１２とが交互に組み合わされることで、上方からの荷重に対して強固な構造になっているために、各支柱片６Ａ、６Ｂや補強部７を細く形成してもゴルフボールＢの荷重を安定して支持することができる。
【００４１】
又、各支柱６の下端部が基部５に接合され、且つ、各支柱６の上端部が補強部７に接合されることで、ゴルフボールＢの荷重が球座に加わっても、各支柱６同士は分離することなくゴルフボール載置部３の形態が保形されるために、ゴルフボールＢは安定的に支持されることができる。
【００４２】
次に、図１に示すように、ゴルフボールＢを載置した状態において、ゴルフクラブによって、ゴルフボールＢを側方から打撃する場合、クラブヘッドの下部がゴルフティー１の上部を一緒に打撃することになるが、ゴルフティー１は、第一トラス部８、及び第二トラス部１２の組み合わせによって、ゴルフボールＢの荷重を支える構造でありながら、支柱片６Ａ、６Ｂ自体は細く形成されることができるために、ゴルフティー１がクラブヘッドによって側方から打撃された場合において、支柱片６Ａ、６Ｂは容易に且つ均等に撓むように変形することができて、ゴルフクラブでゴルフボールＢを打撃する際の抵抗が少ない。このため、ゴルファーは少ない抵抗感でゴルフクラブを振り抜くことができる。つまり、従来技術の問題点１を解決することができる。
【００４３】
又、ゴルフティー１はクラブヘッドによって側方から打撃を受けた場合に前述のように容易に撓むように変形できるために、ゴルフティー１は打撃によって損傷する虞が少ない上に、当該打撃によって、ゴルフティー１が遠くまで飛ぶことなく、紛失する虞が少ない。つまり、従来技術の問題点２，３を解決することができる。又、ゴルフティー１の支柱６の下部Ｌが接合部６Ｃによって太くなり、図７に示すように、ゴルフティー１がクラブヘッドによって側方から打撃を受けた場合に下部が撓みにくい構造であるために、連結部４が損傷を受けにくく、はずれにくい。
【００４４】
又、ゴルフティー１は復元性、及び耐久性を有する素材にてアーチ及びトラス構造を採用して形成されているために、多数回使用されても復元性、及び耐久性を確保することができる。つまり、従来技術の問題点４を解決することができる。
【００４５】
更に又、クラブヘッドでゴルフボールを打撃する際に、図４中、一点鎖線、又は二点鎖線で示すように、クラブヘッドがゴルフティー１にいずれの方向から当たっても、クラブヘッドのフェース面Ｆは、円形の補強部７の径方向Ｋと直交する角度で該補強部７の外周に当接することになるために、該フェース面Ｆに直交した方向であって該補強部７の中心を通る方向の打撃力をゴルフボール及びゴルフティー１に加えることになる。このために、クラブヘッドがゴルフティー１にいずれの方向から当たっても、ゴルフティー１が予期しない方向へ撓む虞が少なく、従って、ゴルフボールが予期しない方向へ飛ぶ虞が少ない。つまり、従来技術の問題点５を解決することができる。
【００４６】
又、ゴルフボール載置部３及び固定部２は、それぞれ樹脂成形によって一体に形成された後に、ゴルフボール載置部３と固定部２とをはめ殺しによって連結するだけで、ゴルフティー１を容易に製造することができる。
【００４７】
又、支柱６の下部は基部５に接合され、その上部は補強部７に接合されることで、ゴルフボール載置部３の形態が保形される構造であるために変形する虞が少なく、初期の形態を維持することができる。
【００４８】
図８は第二実施形態を示す。この第二実施形態の特徴は、固定部２が板体で構成されることで地面上に載置される点にある。ゴルフボール載置部３の支柱６が容易に屈曲変形し易いために、ゴルフクラブでゴルフボールＢを打撃する際の打撃力をゴルフティー１が吸収できる。このため、ゴルフティー１が地面上に載置される構造の場合であっても、ゴルフティー１は遠くまで飛ぶことがなく、紛失する虞が少ない。
【００４９】
尚、本発明は、前記実施形態に限定されるものではなく、本発明の趣旨を逸脱しない範囲で支柱６の配置、湾曲の程度、支柱６相互の連結部位の長さなどを適宜変更して実施することができる。
【図面の簡単な説明】
【００５０】
【図１】図１はゴルフティーの斜視図である。（第一実施形態）
【図２】図２はゴルフティーの正面図である。（第一実施形態）
【図３】図３はゴルフティーの側面図である。（第一実施形態）
【図４】図４はゴルフティーの上面図である。（第一実施形態）
【図５】図５は図３のＡ―Ａ断面図である。（第一実施形態）
【図６】図６は図３のＢ―Ｂ断面図である。（第一実施形態）
【図７】図７はゴルフティーが撓んだ状態を示す図である。（第一実施形態）
【図８】図８は第二実施形態を示す正面図である。
【図９】図９は背景技術のゴルフティーの斜視図である。（背景技術）
【図１０】図１０は背景技術のゴルフティーが撓んだ状態を示す斜視図である。（背景技術）
【符号の説明】
【００５１】
１  ゴルフティー
２  固定部
３  ゴルフボール載置部
４  連結部
５  基部
６  支柱
７  補強部
８  第一トラス部
１２  第二トラス部
【図１】
2010005070.tif 000003
【図２】
2010005070.tif 000004
【図３】
2010005070.tif 000005
【図４】
2010005070.tif 000006
【図５】
2010005070.tif 000007
【図６】
2010005070.tif 000008
【図７】
2010005070.tif 000009
【図８】
2010005070.tif 000010
【図９】
2010005070.tif 000011
【図１０】
2010005070.tif 000012